(57)【要約】【課題】  車載用の表示パネルなどのパネル部材を、歪みの発生を規制して強固に固定することができるパネル部材の固定装置を提供する。【解決手段】  表示パネル５のパネルケース６に、後方（Ｙ２方向）に延びる第１固定片２０が設けられ、第１固定片２０に雌ねじ穴２１が形成されている。支持ブラケット２に、後方に延びる第２固定片３０が設けられ、第２固定片３０に取付け穴３１が形成されている。第１固定片２０は、雌ねじ穴２１と基部２２との間に第１穴部２３が開口し、第２固定片３０は、取付け穴３１と基部３２との間に第２穴部３３が形成されている。よって、固定ねじによる締結力が第１固定片２０の基部２２に伝達されにくくなり、表示パネル５の歪みを規制できる。【選択図】図２
2019066761.tif 000002
【特許請求の範囲】
【請求項１】
前方に位置するパネル部材と、後方に位置する支持ブラケットとを固定する固定装置において、
前記パネル部材に、後方に延びる第１固定片が、前記支持ブラケットに第２固定片が設けられ、前記第１固定片に第１締結部が、前記第２固定片に第２締結部が設けられており、
前記第１固定片に、その基部と前記第１締結部との間に位置する第１穴部が形成され、前記第２固定片に、その基部と前記第２締結部との間に位置する第２穴部が形成されていることを特徴とするパネル部材の固定装置。
【請求項２】
前記第１締結部と前記第２締結部が固定ねじで締結されて、前記第１固定片において前記第１締結部の周囲領域および前記第１締結部と前記第１穴部との間の領域を含む第１変位部と、前記第２固定片において前記第２締結部の周囲領域および前記第２締結部と前記第２穴部との間の領域を含む第２変位部とが、互いに接近する方向へ変位させられている請求項１記載のパネル部材の固定装置。
【請求項３】
前記第１締結部と前記第２締結部の一方が、固定ねじが挿入される取付け穴であり、他方が雌ねじ穴である請求項１または２記載のパネル部材の固定装置。
【請求項４】
前記第１穴部の前記第１締結部側の縁部は、前記第１固定片の前記基部に突側が向けられた屈曲または湾曲形状であり、前記第２穴部の前記第２締結部側の縁部は、前記第２固定片の前記基部に突側が向けられた屈曲または湾曲形状である請求項１ないし３のいずれかに記載のパネル部材の固定装置。
【請求項５】
前記第２固定片は、前記支持ブラケットから後方に延びている請求項１ないし４のいずれかに記載のパネル部材の固定装置。
【請求項６】
前記第２固定片は、前記支持ブラケットから前方に延びている請求項１ないし４のいずれかに記載のパネル部材の固定装置。
【請求項７】
前記パネル部材が表示パネルである請求項１ないし６のいずれかに記載のパネル部材の固定装置。
【発明の詳細な説明】
【技術分野】
【０００１】
本発明は、車載用の表示パネルなどのパネル部材を支持ブラケットへ固定するときの締結力によって、パネル部材に歪みが発生するのを抑制できるようにした固定装置に関する。
【背景技術】
【０００２】
車載用の表示パネルなどを支持ブラケットに固定する固定装置では、表示パネルを支持ブラケットに固定するときの締結力によって、表示パネルに歪みが発生しないように工夫する必要がある。
【０００３】
特許文献１に、車載用の表示装置に関する発明が記載されている。この表示装置は、表示セルを保持するブラケットを有している。ブラケットは金属板で形成されており、ブラケットに、装置の内方に延びる取付け片が設けられている。装置の内部に保持部材が固定されており、保持部材は金属板で形成されている。ブラケットから延びる前記取付け片は、前記保持部材と対向部材との間に挟まれ、保持部材と対向部材とが取付けねじで固定されている。
【０００４】
この固定装置は、取付け片に形成された取付け穴を、取付けねじの軸部の直径よりも大きくすることによって、取付けねじを用いた取付け作業のときに、取付け片が延びる方向であるＺ方向への拘束力が、ブラケットとこれに保持された表示セルに伝達されにくくしている。また、取付け片を弾性変形可能とすることによって、ブラケットとこれに保持された表示セルに対して、取付け片の弾性変形方向であるＸ方向への拘束力が作用しにくいようになっている。
【先行技術文献】
【特許文献】
【０００５】
【特許文献１】特開２０１６−１２２１５１号公報
【発明の概要】
【発明が解決しようとする課題】
【０００６】
特許文献１に記載された表示装置は、表示セルを保持するブラケットを支持体に取り付けるときに、ブラケットに作用しようとするＺ方向の拘束力とＸ方向の拘束力を低減できる利点がある。
【０００７】
しかし、表示セルが大型となり、表示セルとブラケットの質量が大きくなると、車体振動などで表示セルが動くのを有効に防止するために、ブラケットから延び出る取付け片の剛性を、板厚を大きくするなどして高めることが必要になる。しかし、取付け片の剛性を高めてしまうと、この取付け片を装置側へねじ止めするときの締結力が、取付片から表示セルに伝達されやすくなり、表示セルに歪みが発生しやすくなる。その結果、表示セルを点灯し、表示画面に黒色などの濃色を表示しているときに、いわゆる黒ムラなどが発生する確率が高くなる。
【０００８】
本発明は上記従来の課題を解決するものであり、表示パネルなどのパネル部材を強固に固定でき、しかも、表示パネルを固定するときの締結力によって表示パネルに歪みが発生しにくい構造のパネル部材の固定装置を提供することを目的としている。
【課題を解決するための手段】
【０００９】
本発明は、前方に位置するパネル部材と、後方に位置する支持ブラケットとを固定する固定装置において、
前記パネル部材に、後方に延びる第１固定片が、前記支持ブラケットに第２固定片が設けられ、前記第１固定片に第１締結部が、前記第２固定片に第２締結部が設けられており、
前記第１固定片に、その基部と前記第１締結部との間に位置する第１穴部が形成され、前記第２固定片に、その基部と前記第２締結部との間に位置する第２穴部が形成されていることを特徴とするものである。
【００１０】
本発明のパネル部材の固定装置は、前記第１締結部と前記第２締結部が固定ねじで締結されて、前記第１固定片において前記第１締結部の周囲領域および前記第１締結部と前記第１穴部との間の領域を含む第１変位部と、前記第２固定片において前記第２締結部の周囲領域および前記第２締結部と前記第２穴部との間の領域を含む第２変位部とが、互いに接近する方向へ変位させられているものである。
【００１１】
本発明のパネル部材の固定装置は、例えば、前記第１締結部と前記第２締結部の一方が、固定ねじが挿入される取付け穴であり、他方が雌ねじ穴である。
【００１２】
本発明のパネル部材の固定装置は、前記第１穴部の前記第１締結部側の縁部が、前記第１固定片の前記基部に突側が向けられた屈曲または湾曲形状であり、前記第２穴部の前記第２締結部側の縁部が、前記第２固定片の前記基部に突側が向けられた屈曲または湾曲形状であることが好ましい。
【００１３】
本発明のパネル部材の固定装置は、前記第２固定片が、前記支持ブラケットから後方に延びているものである。
【００１４】
または、本発明のパネル部材の固定装置は、前記第２固定片が、前記支持ブラケットから前方に延びているものであり。
【００１５】
本発明のパネル部材の固定装置は、例えば、前記パネル部材が表示パネルである。
【発明の効果】
【００１６】
本発明のパネル部材の固定装置は、パネル部材に設けられた第１固定片と、支持ブラケットに設けられた第２固定片の双方が、その基部と締結部との間に位置する穴部を有しており、前記第１固定片において少なくとも第１締結部と穴部との間の領域を含む第１変位部と、第２固定片において少なくとも第２締結部と２穴部との間の領域を含む第２変位部とが、互いに接近する方向へ変位させられ、その結果、第１固定片と第２固定片とが互いに接近する方向へ弾性変形できるようになる。そのため、第１固定片と第２固定片の剛性を高めて、パネル部材を強固に固定したとしても、第１締結部に作用する締結力が第１固定片の基部に伝達されにくくなり、パネル部材に必要以上に大きな応力が作用しないようなり、パネル部材に大きな歪みが発生するのを防止できるようになる。
【図面の簡単な説明】
【００１７】
【図１】本発明のパネル部材の固定装置の第１実施形態として、車載用の表示パネルの固定装置を表示パネルの後方から示す分解斜視図、
【図２】図１に示す車載用の表示パネルの固定装置の第１固定片と第２固定片を拡大して示す拡大部分分解斜視図、
【図３】（Ａ）は第１固定片を拡大した側面図、（Ｂ）は第２固定片を拡大した側面図、
【図４】図１に示す車載用の表示パネルの固定装置を、ＩＶ矢視方向から見た部分断面図であり、第１固定片と第２固定片が締結される前の状態を示す、
【図５】第１固定片と第２固定片とが締結された状態を示す部分拡大断面図、
【図６】本発明の第２実施形態の固定装置における第１固定片と第２固定片の形状を示す部分分解斜視図、
【図７】本発明の第３実施形態の固定装置における第１固定片と第２固定片の形状を示す部分分解斜視図、
【図８】図７に示す第１固定片と第２固定片とが対向した状態を示すものであり、図７をＶＩＩＩ−ＶＩＩＩ線で切断した部分断面図、
【図９】図６ないし図８に示した第１固定片の側面図、
【発明を実施するための形態】
【００１８】
図１と図２に、本発明のパネル部材の固定装置の第１実施形態として、車載用の表示パネルの固定装置１が示されている。この固定装置１は、Ｙ１方向が車室内に向く前方で、Ｙ２方向が車両進行方向となる後方、Ｘ１方向が左方向、Ｘ２方向が右方向、Ｚ１方向が上方で、Ｚ２方向が下方である。
【００１９】
図１に示すように、車載用の表示パネルの固定装置１は、後方（Ｙ２）に支持ブラケット２が設けられている。支持ブラケット２は金属板を折り曲げて形成されている。支持ブラケット２には複数箇所に支持穴２ａが形成されている。図４に示すように、固定装置１の後方にはハウジング３が設けられている。ハウジングは合成樹脂材料または軽金属材料で形成されている。ハウジング３には、前方（Ｙ１方向）に突出する支持ボス３ａが複数箇所に設けられており、支持ブラケット２に形成された前記支持穴２ａが、支持ボス３ａの先部に固定ねじ１４によって固定されている。
【００２０】
支持ブラケット２の前方（Ｙ１方向）に表示パネル５が固定されている。図４の断面図に示すように、表示パネル５は表示セル７と、表示セル７を後方（Ｙ２方向）と周囲部分から覆うパネルケース６とを有している。表示セル７は、バックライトを有するカラー液晶表示セル、またはエレクトロルミネッセンス表示セルなどである。パネルケース６は金属板を折り曲げて形成されている。
【００２１】
図１と図４に示すように、表示パネル５の周囲に枠ケース８が設けられている。枠ケース８は、表示パネル５の全周囲を囲んでおり、支持ブラケット２と表示パネル５との間に挟まれて固定されている。または、枠ケース８は支持ブラケット２に固定されている。表示パネル５の前方（Ｙ１方向）に向く前面と、枠ケース８の前部に、カバーパネル９が固定されている。カバーパネル９はガラスパネルまたは透明な合成樹脂パネルである。
【００２２】
図１と図２に示すように、この固定装置１では、表示パネル５を構成するパネルケース６から後方（Ｙ２方向）へ延びる第１固定片２０と、支持ブラケット２から後方（Ｙ２方向）へ延びる第２固定片３０が設けられている。第１固定片２０と第２固定片３０は、Ｘ１側とＸ２側のそれぞれの側部の複数箇所に設けられている。第１固定片２０は、パネルケース６を構成する金属板の一部から切り出され、後方（Ｙ２方向）に向けて垂直に折り曲げられて形成されている。第２固定片３０は、支持ブラケット２を構成する金属板の一部から切り出され、後方（Ｙ２方向）に向けて垂直に折り曲げられて形成されている。
【００２３】
図１と図２に示すように、支持ブラケット２には、第２固定片３０を切り起こすときに開口部２ｂが形成される。支持ブラケット２の前方に表示パネル５が設置されると、第１固定片２０が、開口部２ｂ内へ後方（Ｙ２方向）に向けて挿入され、図４に示すように、第１固定片２０と第２固定片３０とがＸ１−Ｘ２方向に対向させられる。
【００２４】
図２に拡大して示すように、表示パネル５のパネルケース６には、第１固定片２０を切り出すための開口部６ａが形成されている。第１固定片２０は、開口部６ａの縁部に位置する基部２２を起点として後方（Ｙ２方向）へ向けて垂直に曲げられている。第１固定片２０には、第１締結部として雌ねじ穴２１が形成されている。図４と図５に示すように、第１固定片２０に、Ｘ２方向へ隆起する穴がいわゆるバーリング加工で形成され、この穴内がタップ加工されて雌ねじ穴２１が形成されている。
【００２５】
図２と図３（Ａ）に示すように、第１固定片２０では、雌ねじ穴２１と基部２２との間に第１穴部２３が形成されている。第１穴部２３は、第１固定片２０の幅方向（Ｚ１−Ｚ２方向）において、雌ねじ穴２１の直径よりも幅広に形成されている。すなわち、第１穴部２３のＺ１側の端部２３ａは、雌ねじ穴２１のＺ１側の縁部よりもＺ１側に位置し、第１穴部２３のＺ２側の端部２３ｂは、雌ねじ穴２１のＺ２側の縁部よりもＺ２側に位置している。また、第１穴部２３における雌ねじ穴２１側の縁部２３ｃは、基部２２に向けて突形状となるように屈曲している。すなわち、縁部２３ｃは、基部２２に角部が向けられた屈曲形状である。
【００２６】
第２固定片３０は、開口部２ｂの縁部に位置する基部３２を起点として後方（Ｙ２方向）に向けて垂直に曲げられている。第２固定片３０には第２締結部として取付け穴３１が形成されている。
【００２７】
図２と図３（Ｂ）に示すように、第２固定片３０では、取付け穴３１と基部３２との間に第２穴部３３が形成されている。第２穴部３３は、第２固定片３０の幅方向（Ｚ１−Ｚ２方向）において、取付け穴３１の直径よりも長く形成されている。すなわち、第２穴部３３のＺ１側の端部３３ａは、取付け穴３１のＺ１側の縁部よりもＺ１側に位置し、第２穴部３３のＺ２側の端部３３ｂは、取付け穴３１のＺ２側の縁部よりもＺ２側に位置している。
【００２８】
第２穴部３３は、基部３２に向けて突形状となる屈曲した長穴であり、第２穴部３３における雌ねじ穴２１側の縁部２３ｃは、基部３２に向けて突形状となるように、すなわち基部３２に角部が向けられた状態で屈曲している。
【００２９】
次に、前記表示パネルの固定装置１の組立工程を説明する。
支持ブラケット２の前方（Ｙ１方向）に表示パネル５を設置する。このとき、支持ブラケット２と表示パネル５との間に枠ケース８を挟み、枠ケース８で表示パネル５の周囲全域を囲む。
【００３０】
図４に示すように、表示パネル５のパネルケース６に設けられた第１固定片２０を、支持ブラケット２に形成された開口部２ｂに、Ｙ２方向へ挿入することで、第１固定片２０と第２固定片３０とがＸ１−Ｘ２方向に対向させられる。パネルケース６においてＸ１側とＸ２側のそれぞれに設けられた第１固定片２０のＸ１−Ｘ２方向の間隔は、支持ブラケット２においてＸ１側とＸ２側のそれぞれに設けられた第２固定片３０のＸ１−Ｘ２方向の間隔よりもやや短くなるように、パネルケース６と支持ブラケット２の設計寸法が決められている。そのため、図４に示すように、第１固定片２０と第２固定片３０との間には、Ｘ１−Ｘ２方向に、０．１〜０．４ｍｍ程度の間隔δが設定される。
【００３１】
図５に示すように、第１固定片２０と第２固定片３０を締結する締結部材として固定ねじ１０が使用される。固定ねじ１０は、頭部１１と雄ねじが刻まれた軸部１２とを有している。固定ねじ１０の軸部１２は、第２固定片３０に形成された取付け穴３１にＸ２方向に挿入され、このとき、第２固定片３０と固定ねじ１０の頭部１１との間に座金１３が挟まれる。固定ねじ１０の軸部１２の雄ねじを第１固定片２０の雌ねじ穴２１に螺着し、固定ねじ１０を締め付けることで、第１固定片２０と第２固定片３０とが互いに固定されて、表示パネル５が支持ブラケット２の前方に固定される。
【００３２】
図３（Ｂ）に示すように、第２固定片３０では、取付け穴３１と基部３２との間に第２穴部３３が形成され、第２穴部３３が基部３２の方向に突形状に屈曲した縁部３３ｃを有している。そのため、固定ねじ１０の締結力が作用すると、取付け穴３１（第２締結部）の周囲領域および取付け穴３１と第２穴部３３との間の領域を含む第２変位部（ｉｉ）が、第１固定片２０に向けて、図４と図５に示すα２方向に変位させられ、このとき、第２穴部３３のＺ１側とＺ２側の両側に位置して第２変位部（ｉｉ）と基部３２との間の領域となる第２変形部（ｉｖ）が弾性変形する。
【００３３】
図３（Ａ）に示すように、
第１固定片２０においても、雌ねじ穴２１と基部２２との間に第１穴部２３が形成され、第１穴部２３が基部２２の方向に突形状に屈曲した縁部２３ｃを有している。そのため、固定ねじ１０の締結力が作用すると、雌ねじ穴２１（第１締結部）の周囲部分および雌ねじ穴２１と第１穴部２３との間の領域を含む第１変位部（ｉ）が、第２固定片３０に向けて、図４と図５に示すα１方向に変位させられ、このとき、第１穴部２３のＺ１側とＺ２側の両側に位置して第１変位部（ｉ）と基部２２との間の領域となる第１変形部（ｉｉｉ）が弾性変形させられる。
【００３４】
第１固定片２０では、雌ねじ穴２１と基部２２との間に、Ｚ１−Ｚ２方向の幅寸法の大きい第１穴部２３が形成されているため、固定ねじ１０の締結力が雌ねじ穴２１に作用したときに、第１変位部（ｉ）と第１変形部（ｉｉｉ）に発生する締結応力および曲げ歪みが、基部２２に直接に作用しにくくなる。さらに、第２固定片３０では、Ｚ１−Ｚ２方向の幅寸法の大きい第２穴部３３が形成されているため、固定ねじ１０の締結力が取付け穴３１に作用したときに、第２変位部（ｉｉ）と第２変形部（ｉｖ）が第１固定片２０の第１変位部（ｉ）に向けて変位する。そのため、第１固定片２０の第１変位部（ｉ）と第１変形部（ｉｉｉ）の変位量ならびに変形量を低減させることができ、第１固定片２０に発生する締結応力および曲げ歪みそのものを低下させるように機能する。
【００３５】
したがって、第１固定片２０と第２固定片３０の剛性を高めて、質量が大きい表示パネル５を強固に保持できるようにした場合であっても、固定ねじ１０の締め付けに起因して第１固定片２０の基部２２に作用しようとする応力を緩和でき、表示セル７に歪みが生じるのを防止でき、または歪みを低減させることが可能になる。その結果、表示パネル５が点灯しているときに、歪みによる黒ムラなどが発生するのを抑制できる。
【００３６】
第１固定片２０と第２固定片３０を固定ねじ１０で締結するときに、第１固定片２０の第１締結部である雌ねじ穴２１を含む第１変位部（ｉ）と、第２固定片３０の第２締結部である取付け穴３１を含む第２変位部（ｉｉ）の双方が互いに接近する方向に変形するが、このとき、第１変位部（ｉ）と第２変位部（ｉｉ）が互いに接近する方向に向けてほぼ同じ量だけ変形することが、第１固定片２０の基部２２に作用する締結応力を緩和させ、第１固定片２０と第２固定片３０によるパネルの支持強度を高める点で好ましい。ただし、第１変位部（ｉ）と第２変位部（ｉｉ）の双方が互いに接近する方向へ変位できれば、その変位量が第１変位部（ｉ）と第２変位部（ｉｉ）とで相違していてもよいし、第１固定片２０と第２固定片３０とで剛性差が生じていてもよい。
【００３７】
ここで、第１固定片２０の板厚を小さくするなどして、第１固定片２０の剛性を第２固定片３０よりも低くし、さらに、第１固定片２０にのみ第１穴部２３を形成し、第２固定片３０に第２穴部３２を形成しない構造を比較例とする。この比較例においても第１穴部２３を形成した効果として、第１固定片２０の基部２２に作用する締結応力を緩和することができる。しかし、この比較例では、第１固定片２０の剛性が低いために、第１固定片２０と第２固定片３０の双方で構成される固定装置によるパネル部材の支持強度が極端に低下することになる。これに対し、前記実施形態の固定装置１では、第１固定片２０と第２固定片３０の双方に穴部２３，３３を形成し、第１変位部（ｉ）と第２変位部（ｉｉ）の双方を同じように変形させている。そのため、第１固定片２０と第２固定片３０の双方の剛性を高めて固定装置１としてパネル部材の支持強度を高めることができ、さらに、パネル部材に締結応力が影響するのを低減することが可能となっている。
【００３８】
図６に、本発明の第２実施形態である車載用の表示パネルの固定装置１０１の一部が示されている。
この固定装置１０１は、表示パネル５のパネルケース６から後方（Ｙ２方向）に向けて第１固定片１２０が曲げられている。第１固定片１２０には、第１締結部として取付け穴１２１が形成されている。支持ブラケット２から後方に向けて第２固定片１３０が曲げられている。第２固定片１３０には、第２締結部として雌ねじ穴１３１が形成されている。このように、第１固定片に形成される第１締結部と第２固定片に形成される第２締結部は、どちらが取付け穴で、どちらが雌ねじ穴であってもよい。
【００３９】
第１固定片１２０には、取付け穴１２１と基部１２２との間に第１穴部１２３が形成されているが、第１穴部１２３における取付け穴１２１側の縁部１２３ａは、基部１２２に向けて突形状の湾曲形状となっている。第２固定片１３０には、雌ねじ穴１３１と基部１３２との間に第２穴部１３３が形成されているが、第２穴部１３３における雌ねじ穴１３１側の縁部１３３ａは、基部１３２に向けて突形状の湾曲形状となっている。
【００４０】
図７に、本発明の第３実施形態の車載用の表示パネルの固定装置２０１が示されている。
この固定装置２０１には、表示パネル５のパネルケース６から後方（Ｙ２方向）に折り曲げられた第１固定片１２０ａが設けられている。この第１固定片１２０ａは、図６に示した第１固定片１２０とほぼ同じ構造であるが、図７に示す第１固定片１２０ａでは、第１締結部が雌ねじ穴１２１ａである。支持ブラケット２からは第２固定片１３０ａが曲げられているが、図１ないし図６に示す実施形態とは異なり、第２固定片１３０ａは、前方（Ｙ１方向）へ折り曲げられている。また、第２固定片１３０ａに形成された第２締結部は取付け穴１３１ａである。図７に示す固定装置２０１の第１穴部１２３と第２穴部１３３の形状は、図６に示す第２実施形態と同じである。
【００４１】
図８には、第３実施形態の第１固定片１２０ａと第２固定片１３０ａとがＸ１−Ｘ２方向に対向した状態が示されている。固定ねじ１０を、取付け穴１３１ａに挿入し雌ねじ穴１２１ａに螺着させて締め付けると、第１固定片１２０ａでは、雌ねじ穴１２１ａの周囲領域および雌ねじ穴１２１ａと第１穴部１２３との間の領域を含む第１変位部（ｉ）がβ１方向へ変形しようとし、第２固定片１３０ａでは、取付け穴１３１ａの周囲部分および取付け穴１３１ａと第２穴部１３３との間の領域を含む第２変位部（ｉｉ）がβ２方向へ変形しようとする。β１方向とβ２方向は同じ回転方向（図８では共に時計方向）となる。そのため、第１固定片１２０ａの第１変位部（ｉ）と第２固定片１３０ａの第２変位部（ｉｉ）とが、面接合しやすくなり、第１固定片１２０ａと第２固定片１３０ａを、固定ねじ１０で締結しやすくなる。
【００４２】
図９に、図６ないし図８に示した第１固定片１２０（１２０ａ）の側面図が示されている。第１穴部１２３の第１締結部（１２１，１２１ａ）側の縁部１２３ａは基部１２２に向けて突状となる湾曲形状である。あるいは、図２に示した第１実施形態のように、基部に向けて突形状となる屈曲形状である。ここで、第１穴部１２３は、一方の端部１２３ｂと他方の端部１２３ｃを結ぶ線Ｌが、第１締結部１２１（１２１ａ）を通過している。このように構成することで、第１締結部１２１の周囲領域および第１締結部１２１と第１穴部１２３との間の領域を含む第１変位部（ｉ）が変形しやすくなる。
【００４３】
あるいは、表示パネル５から延びる第１固定片１２０において、第１締結部を含む第１変位部（ｉ）を第２固定片１３０に比べて変形しにくい構造にしたい場合には、前記線Ｌが第１締結部を通過しないように構成することが好ましい。
【００４４】
なお、前記実施の形態では締結部材が固定ねじ１０で、第１締結部と第２締結部の一方が雌ねじ穴となっているが、第１締結部と第２締結部が共に取付け穴であって、締結部材が、ねじまたはボルトとナットとで構成されてもよい。
【００４５】
また、パネル部材は、車載用の表示パネルに限られず、機器や装置の表面に現れて取付け時の歪みの発生を防止したいものであれば、表面パネルや装飾パネルなどであってもよい。
【符号の説明】
【００４６】
１，１０１，２０１  固定装置
２  支持ブラケット
２ｂ  開口部
５  表示パネル
６  パネルケース
７  表示セル
９  カバーパネル
１０  固定ねじ（締結部材）
２０  第１固定片
２１  雌ねじ部（第１締結部）
２２  基部
２３  第１穴部
２３ｃ  縁部
３０  第２固定片
３１  取付け穴（第２締結部）
３２  基部
３３  第２穴部
１２０，１２０ａ  第１固定片
１３０，１３０ａ  第２固定片
（ｉ）  第１変位部
（ｉｉ）  第２変位部
（ｉｉｉ）  第１変形部
（ｉｖ）  第２変形部
【図１】
2019066761.tif 000003
【図２】
2019066761.tif 000004
【図３】
2019066761.tif 000005
【図４】
2019066761.tif 000006
【図５】
2019066761.tif 000007
【図６】
2019066761.tif 000008
【図７】
2019066761.tif 000009
【図８】
2019066761.tif 000010
【図９】
2019066761.tif 000011